(57)【特許請求の範囲】
【請求項１】
クロック信号を分周する分周手段を１段からＮ段まで直列に接続し、クロック信号を順次伝搬してＮ段分周を行う分周回路において、
第１及び第２の被選択信号入力端子と該第１及び第２の被選択信号入力端子に入力される信号を二者択一に選択してその状態に応じた信号を出力する出力端子を有する信号選択手段を備え、
前記信号切り替え手段は、前記第１の被選択信号入力端子には前記分周回路の第Ｋ段の分周手段から出力されるクロック信号が入力され、前記第２の被選択信号入力端子には、前記第Ｋ段の分周手段から出力されるクロック信号よりも短周期のクロック信号が入力され、前記出力端子は前記分周回路の第Ｋ＋１段の分周手段のクロック信号入力端子に信号を出力し、第１の動作状態においては、前記第１の被選択信号入力端子による入力信号を選択し、第２の動作状態においては、初期状態において前記第１の被選択信号入力端子による入力信号を選択し、第Ｋ＋１段以降の特定段の分周手段が少なくとも半周期以上の分周動作を行ったことをもって、前記第２の被選択信号入力端子による入力信号を選択することを特徴とする分周回路。
【請求項２】
桁上げ信号を基準クロックでラッチする事により分周動作を行う分周手段を１段からＮ段まで直列に接続し、桁上げ信号を順次生成し伝搬してＮ段分周を行う分周回路において、
第１及び第２の被選択信号入力端子と該第１及び第２の被選択信号入力端子に入力される信号を二者択一に選択してその状態に応じた信号を出力する出力端子を有する信号選択手段を備え、
前記信号切り替え手段は、前記第１の被選択信号入力端子には前記分周回路の第Ｋ段の分周手段から出力される桁上げ信号が入力され、前記第２の被選択信号入力端子には、前記第Ｋ段の分周手段から出力される桁上げ信号よりも短周期の信号が入力され、前記出力端子は前記分周回路の第Ｋ＋１段の分周手段の桁上げ信号入力端子に信号を出力し、第１の動作状態においては、前記第１の被選択信号入力端子による入力信号を選択し、第２の動作状態においては、初期状態において前記第１の被選択信号入力端子による入力信号を選択し、第Ｋ＋１段以降の特定段の分周手段が少なくとも半周期以上の分周動作を行ったことをもって、前記第２の被選択信号入力端子による入力信号を選択することを特徴とする分周回路。
【請求項３】
前記第２の被選択信号入力端子に入力される信号は、外部から入力される信号であることを特徴とする請求項１または請求項２記載の分周回路。
【請求項４】
前記第２の被選択信号入力端子に入力される信号は、第Ｌ段（Ｌ＜Ｋ）の分周手段から出力されるクロック信号であることを特徴とする請求項１記載の分周回路。
【請求項５】
前記第２の被選択信号入力端子に入力される信号は、第Ｌ段（Ｌ＜Ｋ）の分周手段から出力される桁上げ信号であることを特徴とする請求項２記載の分周回路。
【請求項６】
前記第２の動作状態において、第Ｋ＋１段目の分周手段が半周期の分周動作を行ったことをもって、前記第２の被選択信号入力端子による入力信号を選択することを特徴とする請求項１乃至請求項５いずれか記載の分周回路。
【請求項７】
前記第２の状態において、前記信号切り替え手段による選択の変更後に前記第Ｋ＋１段目の分周手手段が出力するクロックは、前記第Ｌ段の分周手段が出力するクロックと位相が同一であることを特徴とする請求項４記載の分周回路。
【請求項８】
前記第２の状態において、前記信号切り替え手段による選択の変更後に前記第Ｋ＋１段目の分周手段が出力する桁上げ信号は、前記第Ｌ段の分周手段が出力する桁上げ信号と位相が同一であることを特徴とする請求項５記載の分周回路。
【請求項９】
前記Ｎは偶数であり、前記第Ｋ段目の分周手段は、第Ｎ／２段目の分周手段であることを特徴とする請求項１乃至請求項８いずれか記載の分周回路。
【請求項１０】
前記Ｎは奇数であり、前記第Ｋ段目の分周回路は、第（Ｎ−１）／２段目の分周手段、もしくは第（Ｎ＋１）／２段目の分周手段であることを特徴とする請求項１乃至請求項８いずれか記載の分周回路。
【発明の詳細な説明】
【０００１】
【発明の属する技術分野】
本発明は分周回路に関し、特に多段の分周を行う回路及び、多段に分周されたクロック信号により動作する回路の、検査時間を短縮する分周回路に関するものである。
【０００２】
【従来の技術】
多段分周回路の検査において、初段の分周手段に入力された信号が正常に分周された結果が、最終段の分周手段の出力として得られているかを検査する方法をとると、分周の段数が増えるに従い、分周回路の検査に要する時間が増大し、検査コストを引き上げる。この様な問題を解決するものとして、特開昭６１−２３９７２２、特開昭５８−９５２８４、特開昭６０−９２２１、特開昭６３−３１６５１８、特開平４−３４４７１１などがある。
【０００３】
つまり、これらは、図１３や図１４のような検査方法であり、いずれも、多段分周回路の検査時間を短縮する事を目的としているのものである。検査時間を短縮することの目的は、低コスト化あるいは、検査プログラムの容量制限を満たすことがある。
【０００４】
【発明が解決しようとする課題】
しかしながら従来の技術では、多段分周回路の検査時間を短縮する為に、図１３の様に検査の為の入出力端子を必要とするという問題、図１４のように正規の信号経路の一部を検査しないという問題、あるいは検査プログラムによる信号制御により複雑なシーケンスを実行する事を必要とするなどの問題があった。
【０００５】
【課題を解決するための手段】
本発明の分周回路は、クロック信号を分周する分周手段を１段からＮ段まで直列に接続し、クロック信号を順次伝搬してＮ段分周を行う分周回路において、第１及び第２の被選択信号入力端子と該第１及び第２の被選択信号入力端子に入力される信号を二者択一に選択してその状態に応じた信号を出力する出力端子を有する信号選択手段を備え、前記信号切り替え手段は、前記第１の被選択信号入力端子には前記分周回路の第Ｋ段の分周手段から出力されるクロック信号が入力され、前記第２の被選択信号入力端子には、前記第Ｋ段の分周手段から出力されるクロック信号よりも短周期のクロック信号が入力され、前記出力端子は前記分周回路の第Ｋ＋１段の分周手段のクロック信号入力端子に信号を出力し、第１の動作状態においては、前記第１の被選択信号入力端子による入力信号を選択し、第２の動作状態においては、初期状態において前記第１の被選択信号入力端子による入力信号を選択し、第Ｋ＋１段以降の特定段の分周手段が少なくとも半周期以上の分周動作を行ったことをもって、前記第２の被選択信号入力端子による入力信号を選択することを特徴とする。
【０００６】
また、桁上げ信号を基準クロックでラッチする事により分周動作を行う分周手段を１段からＮ段まで直列に接続し、桁上げ信号を順次生成し伝搬してＮ段分周を行う分周回路において、第１及び第２の被選択信号入力端子と該第１及び第２の被選択信号入力端子に入力される信号を二者択一に選択してその状態に応じた信号を出力する出力端子を有する信号選択手段を備え、前記信号切り替え手段は、前記第１の被選択信号入力端子には前記分周回路の第Ｋ段の分周手段から出力される桁上げ信号が入力され、前記第２の被選択信号入力端子には、前記第Ｋ段の分周手段から出力される桁上げ信号よりも短周期の信号が入力され、前記出力端子は前記分周回路の第Ｋ＋１段の分周手段の桁上げ信号入力端子に信号を出力し、第１の動作状態においては、前記第１の被選択信号入力端子による入力信号を選択し、第２の動作状態においては、初期状態において前記第１の被選択信号入力端子による入力信号を選択し、第Ｋ＋１段以降の特定段の分周手段が少なくとも半周期以上の分周動作を行ったことをもって、前記第２の被選択信号入力端子による入力信号を選択することを特徴とする。
【０００７】
また、前記第２の被選択信号入力端子に入力される信号は、外部から入力される信号であることを特徴とする。
【０００８】
また、前記第２の被選択信号入力端子に入力される信号は、第Ｌ段（Ｌ＜Ｋ）の分周手段から出力されるクロック信号であることを特徴とする。
【０００９】
また、前記第２の被選択信号入力端子に入力される信号は、第Ｌ段（Ｌ＜Ｋ）の分周手段から出力される桁上げ信号であることを特徴とする。
【００１０】
また、前記第２の動作状態において、第Ｋ＋１段目の分周手段が半周期の分周動作を行ったことをもって、前記第２の被選択信号入力端子による入力信号を選択することを特徴とする。
【００１１】
また、  前記第２の状態において、前記信号切り替え手段による選択の変更後に前記第Ｋ＋１段目の分周手手段が出力するクロックは、前記第Ｌ段の分周手段が出力するクロックと位相が同一であることを特徴とする。
【００１２】
また、  前記第２の状態において、前記信号切り替え手段による選択の変更後に前記第Ｋ＋１段目の分周手手段が出力する桁上げ信号は、前記第Ｌ段の分周手段が出力する桁上げ信号と位相が同一であることを特徴とする。
【００１３】
また、前記Ｎは偶数であり、前記第Ｋ段目の分周手段は、第Ｎ／２段目の分周手段であることを特徴とする。
【００１４】
また、前記Ｎは奇数であり、前記第Ｋ段目の分周回路は、第（Ｎ−１）／２段目の分周手段、もしくは第（Ｎ＋１）／２段目の分周手段であることを特徴とする。
【００１５】
【発明の実施の形態】
図１は本発明の分周回路の第１の実施例の図であり、分周したクロックを順次伝搬することで多段分周を行う場合の例である。１は分周手段、１０１は信号選択手段、Ｃ１００、Ｃ１０１、Ｃ１０２、Ｃ１０２’、Ｃ１０３、Ｃ１０４、Ｃ１１０はクロック信号、ＲＥＳＥＴはリセット信号、Ｓ１０１は動作状態選択信号、Ｓ１０２は内部信号である。以下で、図中の各フリップフロップは、ここではリセット付きＤフリップフロップ（以下、ＤＦＦ）である。ＤＦＦはリセット信号が入力されると、クロック端子Ｃ、データ入力端子Ｄの入力状態に関係なくＱ＝Ｌ、／Ｑ（Ｑバー）＝Ｈとなる。また、リセット信号が解除されると、クロック端子Ｃに入力されるクロック信号の立ち上がり時に入力端子Ｄに入力されている信号をラッチして、出力端子Ｑから出力する。
【００１６】
なお、以降の実施例では、ＤＦＦを用いて分周手段を説明するが、同様の作用効果を有するものであれば、他のものであってもよい。信号選択回路内のＤＦＦについても同様に他の手段であってもよい。
【００１７】
図７は本回路の動作を説明する波形図である。図７−（ａ）、（ｂ）は各々第１及び第２の動作状態の波形である。この例では、Ｓ１０１＝Ｌレベルであるとき第１の動作状態に、Ｓ１０１＝Ｈレベルであるとき第２の動作状態になる。信号選択手段１０１は第１の被選択入力端子にクロック信号Ｃ１０２を入力し、第２の被選択入力端子にＣ１１０を入力して、これらを二者択一に選択して出力端子よりＣ１０２’に出力する。図７−（ａ）においては、Ｓ１０１＝ＬでありＣ１０２’＝Ｃ１０２となる。これは即ち、通常の４段分周回路として動作していることになる。
【００１８】
図７−（ｂ）においては、Ｓ１０１＝Ｈでありリセットが解除されているので、初期状態においてはＣ１０２’＝Ｃ１０２であるが、３段目の分周手段の出力であるＣ１０３の立ち下がりで１０１内のＤＦＦのデータ入力端子Ｄの信号がラッチされＱ＝ＨとなるためＣ１０２’＝Ｃ１１０となる。即ち、３段目の分周手段の出力Ｃ１０３は初期状態ではＣ１０２を基準に分周を行った結果の信号であり、Ｃ１０３が立ち下がった時点以降はＣ１１０を基準に分周を行った結果の信号となる。即ち、Ｃ１０３は自身が立ち上がりと立ち下がりの動作を行った時点を以て、その基準クロックが切り替えられる。Ｃ１１０がＣ１０２に対し短周期のクロックであるとすると、通常の信号経路による分周動作を行った後に、他の経路による短周期のクロックでの分周動作に切り替えられることになる。
【００１９】
以上のように、本実施例では、３段目の分周手段の出力自体により３段目の分周手段に入力される信号を切り替えているので、もし２段目までの分周手段に異常があれば、３段目の分周手段の入力信号が正常に切り替えられないので、出力パルスＣ１０４に影響を与えてしまう。つまり、本実施例では、全ての段の分周手段が正常の場合にのみ、正常なパルスＣ１０４が出力されるのであり全ての分周手段について動作検査がなされているのである。
【００２０】
そして、全ての分周手段について動作検査を行いながらも、図７を見れば明らかなように、通常動作の図７（ａ）でのパルスＣ１０４のパルス幅よりも、第２の動作状態の図７（ｂ）でのパルスＣ１０４のパルス幅が短くなっており、出力結果を得るまでの時間が短縮できるのである。
【００２１】
また、Ｃ１１０を外部の任意のクロックに設定可能な構成にすると、所望の条件にＣ１１０を設定可能となる。
【００２２】
図２は本発明の分周回路の第２実施例の図であり、図１の例に対して信号選択手段の入力信号の一方が任意のクロック信号Ｃ１１０であったのが、１段目の分周手段の出力Ｃ２０１になっている点で限定が加えられていることが異なる。Ｃ２００、Ｃ２０１、Ｃ２０２、Ｃ２０２’、Ｃ２０３、Ｃ２０４はクロック信号、Ｓ２０１は動作状態選択信号、Ｓ２０２は内部信号である。図８は本回路の動作を説明する波形図である。図８−（ａ）、（ｂ）は各々第１及び第２の動作状態の波形である。Ｓ２０１＝Ｌである時第１の動作状態に、Ｓ２０１＝Ｈである時第２の動作状態になる。図８−（ａ）においては、Ｃ２０２’＝Ｃ２０２となり、通常の４段分周回路として動作している。
【００２３】
図８−（ｂ）においては、リセットが解除されているので、初期状態においてＣ２０２’＝Ｃ２０２であるが、３段目の分周手段の出力であるＣ２０３の立ち下がりで１０１内のＤＦＦのデータ出力端子Ｄの信号がラッチされ、Ｑ＝ＨとなりＣ２０２’＝Ｃ２０１となる。即ち、Ｃ２０３は初期状態ではＣ２０２を基準に分周を行った結果の信号であり、Ｃ２０３が立ち下がった時点以降はＣ２０１を基準に分周を行った結果の信号となる。即ち、３段目の分周手段の出力であるＣ２０３の基準となるクロックは、Ｃ２０３自身が立ち上がりと立ち下がりの動作を行った時点を以て、通常の信号経路によるクロック信号から、より短周期のクロック信号に切り替えられることになる。
【００２４】
以上のように、第１の実施例のような他の経路の短周期のクロックを分周回路の外部から新たに入力する方法の他に、第２の実施例のように、第１段目の分周手段の出力を用いることも可能である。この第２の実施例の場合、第１の実施例に比べて、クロックの入力端子の数を減らすことができるという効果を持つ。
【００２５】
図３は本発明の分周回路の第３の実施例の図であり、図１、図２の例に対して、クロックの位相を調整するところに特徴がある。３０１は信号選択手段、Ｃ３００、Ｃ３０１、Ｃ３０２、Ｃ３０２’、Ｃ３０３、Ｃ３０４はクロック信号、Ｓ３０１は動作状態選択信号、Ｓ３０２は内部信号である。図９は本回路の動作を説明する波形図である。図９−（ａ）、（ｂ）は各々第１及び第２の動作状態の波形である。Ｓ３０１＝Ｌの時第１の動作状態に、Ｓ３０１＝Ｈの時第２の動作状態になる。図９−（ａ）においては、Ｃ３０２’＝Ｃ３０２となり、通常の４段分周回路として動作している。
【００２６】
図９−（ｂ）においては、リセットが解除されているので、初期状態においてＣ３０２’＝Ｃ３０２であるが３段目の分周手段の出力であるＣ３０３が立ち下がりＣ３０３がＬレベルである状態を２段目の分周手段の出力であるＣ３０２の立ち下がりでラッチした時点でＱ＝ＨとなるためＣ３０２’＝Ｃ３０１となる。即ち、Ｃ３０３は初期状態ではＣ３０２を基準に分周を行った結果の信号であり、３段目の分周手段の出力Ｃ３０３が立ち下がった時点以降は１段目の分周手段の出力Ｃ３０１を基準に分周を行った結果の信号となり、その位相はＣ３０２と等しい。即ち、Ｃ３０３の基準となるクロックは、Ｃ３０３自身が立ち下がりと立ち上がりの動作を行った時点を以て、通常の信号経路によるクロック信号から、より短周期のクロック信号に切り替えられ、その位相は前期短周期のクロック信号を入力として分周を行う、より前段の分周手段の出力に等しいことになる。
【００２７】
ｎ段分周回路において、ｋ段と（ｋ＋１）段の間に信号選択手段を挿入するとき、第ｎ段の分周手段が立ち上がりと立ち下がりの動作を一通りすますまでの、基本クロックの数をＷｎ（ｋ）とすると、式１が成り立つ。但し、分周手段が立ち上がりと立ち下がりの動作を一通り済ますことを持って、１回の分周動作を行ったことと見なしている。
【００２８】
Ｗｎ（ｋ）＝２ｋ＋２ｎ−ｋ−１  式１
式２はそれを微分したものである。
【００２９】
ｄＷｎ（ｋ）／ｄｋ＝（２ｋ−２ｎ−ｋ）ｌｏｇ２  式２
式２から、式１はｋ＝ｎ／２で最小になることがわかる。今、ｋは分周段数であることから整数値であることが必要であるが、ｎが奇数値である時、ｋをｎ／２に一番近い整数値とすると、そのいずれの数値をとっても、Ｗｎ（ｋ）の値は等しく、整数ｋについて最小の値をとることは明らかである。即ち、ｋを必ず整数値とした場合、その値がｎ／２に一番近い時にＷｎ（ｋ）は最小であるといえる。従って、上述の構成のような分周回路では、Ｎ段分周を行う分周回路においては、Ｎ／２に一番近い整数値をＫとすると、第Ｋ段と第（Ｋ＋１）段の間に信号選択手段を挿入する場合が最も検査時間を短縮し得るものとなる。つまり、Ｎが偶数の場合は、Ｎ／２が最も検査時間を短縮でき、Ｎが奇数の場合は、（Ｎ−１）／２及び（Ｎ＋１）／２が最も検査時間を短縮できる。本発明の分周回路の実施例は、上述の位置に信号選択手段を挿入する構成を特徴としている。
【００３０】
なお、上記説明は最も検査時間を短縮できる条件を説明したものであり、設計上の都合によりＫをｎ／２に最も近い整数値としない場合でも本実施例に含まれることはいうまでもない。
【００３１】
図４は本発明の他の第４の実施例の図であり、桁上げ信号を伝搬し、基準クロックでラッチする事により多段分周を行う場合の例である。２は分周手段、４０１は信号選択手段、Ｃ４００、Ｃ４０１、Ｃ４０２、Ｃ４０３、Ｃ４０４はクロック信号、Ｓ４０１は動作状態選択信号、Ｓ４０２は内部信号である。図１０は本回路の動作を説明する波形図である。図１０−（ａ）、（ｂ）は各々第１及び第２の動作状態の波形である。この例では、Ｓ４０１＝Ｌレベルであるとき第１の動作状態に、Ｓ４０１＝Ｈレベルであるとき第２の動作状態になる。信号選択手段４０１は第２段の分周手段から伝搬される桁上げ信号と、他の手段による桁上げ信号（ここでは、Ｌレベルに固定）とを入力として、これらを二者択一に選択して、桁上げ信号として第３段の分周手段に伝搬する。図１０−（ａ）においては、Ｓ４０１＝Ｌであり、第２段の分周手段からの桁上げ信号が第３段の分周手段に伝搬している。即ちＣ４０３はＣ４０２に対して分周を行っているに等しい。
【００３２】
一方図１０−（ｂ）においては、Ｓ４０１＝Ｈであり、リセット状態が解除されているので、初期状態においては信号選択手段４０１は第２段の分周手段からの桁上げ信号を第３段の分周手段に伝搬しているが３段目の分周手段の出力Ｃ４０３が立ち下がった時点以降は４０１内のＤＦＦの出力がＱ＝Ｈとなるので、他の手段による桁上げ信号を第３段の分周手段に伝搬する。即ち、Ｃ４０３は自身が立ち上がりと立ち下がりの動作を行った時点を以て、分周の基準となる桁上げ信号が切り替えられる。
【００３３】
図５は本発明の分周回路の第５の実施例の図であり、図４の例に対して信号選択手段の入力の一方が第１段の分周手段からの桁上げ信号Ｓ５０３になっている点で限定が加えられていることが異なる。Ｃ５００、Ｃ５０１、Ｃ５０２、Ｃ５０３、Ｃ５０４はクロック信号、Ｓ５０１は動作状態選択信号、Ｓ５０２は内部信号である。図１１は本回路の動作を説明する波形図である。図１１−（ａ）、（ｂ）は各々第１及び第２の動作状態の波形である。Ｓ５０１＝Ｌである時第１の動作状態に、Ｓ５０１＝Ｈである時第２の動作状態になる。図１１−（ａ）においては、第２段の分周手段からの桁上げ信号が第３段の分周手段に伝搬している。即ちＣ５０３はＣ５０２に対して分周を行った信号に等しい。
【００３４】
一方図１１−（ｂ）においては、リセット信号が解除されているので、初期状態においては信号選択手段４０１は第２段の分周手段からの桁上げ信号を第３段の分周手段に伝搬しているが、第３の分周手段Ｃ５０３が立ち下がった時点以降は、５０１内のＤＦＦの出力がＱ＝Ｈとなっているの、第１段の分周手段からの桁上げ信号Ｓ５０３を第３段の分周手段に伝搬する。即ち、Ｃ５０３は自身が立ち上がりと立ち下がりの動作を行った時点を以て、分周の基準となる桁上げ信号が切り替えられる。
【００３５】
図６は本発明の分周回路の第６の実施例の図であり、図４、図５の例に対して、クロックの位相を調整するところに特徴がある。６０１は信号選択手段、Ｃ６００、Ｃ６０１、Ｃ６０２、Ｃ６０３、Ｃ６０４はクロック信号、Ｓ６０１は動作状態選択信号、Ｓ６０２は内部信号である。図１２は本回路の動作を説明する波形図である。図１２−（ａ）、（ｂ）は各々第１及び第２の動作状態の波形である。この例では、Ｓ６０１＝Ｌレベルであるとき第１の動作状態に、Ｓ６０１＝Ｈレベルであるとき第２の動作状態になる。図１２−（ａ）においては、第２段の分周手段からの桁上げ信号が、信号選択手段６０１を介して第３段の分周手段に伝搬している。即ち、Ｃ６０３はＣ６０２に対して分周を行った信号に等しい。
【００３６】
一方図１２−（ｂ）においては、初期状態においては信号選択手段６０１は第２段の分周手段からの桁上げ信号を第３段の分周手段に伝搬し、第３段の分周手段の出力Ｃ６０３が立ち下がった時点以降は、第１段の分周手段からの桁上げ信号Ｓ６０３を第３段の分周手段に伝搬し、それ以降のＣ６０３はＣ６０２と位相が等しい。
【００３７】
図４、図５、図６で説明したような構成の分周回路においても、その検査時間を最も短縮するための信号選択手段の挿入位置について、式１、式２で行った説明が適用でき、本発明の実施例はそのことを特徴としている。
【００３８】
また、上述図１、図２、図３、図４、図５、図６の説明においては、４段分周回路を例に、その第２段と第３段の分周手段の間に信号選択手段を挿入する場合を説明しているが、任意のＮ段分周回路の任意の第Ｋ段と第（Ｋ＋１）段の間に信号選択手段を挿入しても同様の説明が成り立つことは明白である。
【００３９】
また、各実施例では、第Ｋ段と第（Ｋ＋１）段の間に信号選択手段を挿入した場合、第（Ｋ＋１）段目の分周手段が半周期の分周動作を行った時を経て、信号選択手段はその選択を切り替えていたが、第（Ｋ＋１）以降の任意の分周手段が半周期以上の分周動作を行った時を以て、信号選択手段はその選択を切り替えられるのであれば最低限の効果を有する。
【００４０】
また、被選択信号の一方は第Ｋ段からのクロック信号または桁上げ信号であればよく、被選択信号の他方は第Ｋ段からのクロック信号より短周期のクロックであれば、外部からの信号であっても、第Ｋ段より前の任意の分周手段からのクロック信号または桁上げ信号であって良い。
【００４１】
【発明の効果】
以上説明したように、本発明による分周回路では、クロック信号を分周する分周手段を１段からＮ段まで直列に接続し、クロック信号を順次伝搬してＮ段分周を行う分周回路において、任意のクロック信号によりその検査時間を短縮することができる。また、分周回路内で生成する特定のクロック信号により、その検査時間を短縮する事ができる。また、分周回路内で生成する特定のクロック信号により、その検査時間を短縮し、かつ、同一周期のクロック信号による分周結果としてのクロック信号の位相を同一にすることで、当該クロックにより動作する回路を同一位相で同期させて検査する事ができる。
【００４２】
また、本発明による分周回路では、クロック信号を分周する分周手段を１段からＮ段まで直列に接続し、クロック信号を順次伝搬してＮ段分周を行う分周回路において、任意の桁上げ信号により、その検査時間を短縮する事ができる。また、分周回路内で生成する特定の桁上げ信号により、その検査時間を短縮することができる。また、分周回路内で生成する特定の桁上げ信号により、その検査時間を短縮し、かつ、同一の桁上げ信号による分周結果としてのクロック信号の位相を同一にする事で、当該クロックにより動作する回路を同一位相で同期させて検査する事ができる。
【００４３】
また、以上の様な検査時間の短縮を、正規の信号経路の検査を省略する事無く、また検査プログラムによる信号制御により複雑なシーケンスを実行する事を必要とせずに行える。
【図面の簡単な説明】
【図１】本発明の分周回路の第１の実施例の図。
【図２】本発明の分周回路の第２の実施例の図。
【図３】本発明の分周回路の第３の実施例の図。
【図４】本発明の分周回路の第４の実施例の図。
【図５】本発明の分周回路の第５の実施例の図。
【図６】本発明の分周回路の第６の実施例の図。
【図７】図１の回路のタイミング例の図。
【図８】図２の回路のタイミング例の図。
【図９】図３の回路のタイミング例の図。
【図１０】図４の回路のタイミング例の図。
【図１１】図５の回路のタイミング例の図。
【図１２】図６の回路のタイミング例の図。
【図１３】従来の分周回路の図。
【図１４】従来の分周回路の図。
【符号の説明】
１，２  分周手段
１０１，３０１，４０１，６０１  信号選択手段
ＲＥＳＥＴ  リセット信号
Ｃ１００〜Ｃ１０４，Ｃ１０２’，Ｃ１１０  クロック信号
Ｓ１０１  動作状態選択信号
Ｓ１０２  内部信号
Ｃ２００〜Ｃ２０４，Ｃ２０２’  クロック信号
Ｓ２０１  動作状態選択信号
Ｓ２０２  内部信号
Ｃ３００〜Ｃ３０４，Ｃ３０２’  クロック信号
Ｓ３０１  動作状態選択信号
Ｓ３０２  内部信号
Ｃ４００〜Ｃ４０４  クロック信号
Ｓ４０１  動作状態選択信号
Ｓ４０２  内部信号
Ｓ４０３  桁上げ信号
Ｃ５００〜Ｃ５０４  クロック信号
Ｓ５０１  動作状態選択信号
Ｓ５０２  内部信号
Ｓ５０３  桁上げ信号
Ｃ６００〜Ｃ６０４  クロック信号
Ｓ６０１  動作状態選択信号
Ｓ６０２  内部信号
Ｓ６０３  桁上げ信号
【図１】
0003552426.tif 000002
【図２】
0003552426.tif 000003
【図３】
0003552426.tif 000004
【図４】
0003552426.tif 000005
【図５】
0003552426.tif 000006
【図６】
0003552426.tif 000007
【図７】
0003552426.tif 000008
【図８】
0003552426.tif 000009
【図９】
0003552426.tif 000010
【図１０】
0003552426.tif 000011
【図１１】
0003552426.tif 000012
【図１２】
0003552426.tif 000013
【図１３】
0003552426.tif 000014
【図１４】
0003552426.tif 000015